(57)【要約】【課題】  地下水等の用水中に含まれる懸濁シリカ及びイオン状シリカを除去して、工業設備や商用設備における冷却系統に適した水質の用水にする処理方法を、また、得られた処理水を冷却水系の補給水として用いる開放循環型冷却水システムを提供する。【解決手段】  シリカ含有用水の処理方法が、シリカ含有用水を軟水化処理した後に、強カチオン性の高分子凝集剤であるジアリルジメチルアンモニウムクロライドの低分子量ホモポリマーを希釈した後添加して用水中のシリカを凝集させ、該凝集物を濾過器で捕集除去することにより処理水を得ることを特徴とし、また、開放循環型冷却水システムにおいて、循環冷却水の電気伝導度が８００μＳ／ｃｍを超えないように循環冷却水をブローして、該処理水を補給・置換することを特徴とする。【選択図】図１
2006192424.tif 000002
【特許請求の範囲】
【請求項１】
シリカ含有用水を軟水化処理した後に、強カチオン性の高分子凝集剤を添加して用水中のシリカを凝集させ、該凝集物を濾過器で捕集除去することを特徴とするシリカ含有用水の処理方法。
【請求項２】
請求項１に記載のシリカ含有用水の処理方法において、軟水化処理として、用水中のカルシウム及びマグネシウムイオンを除去することを特徴とするシリカ含有用水の処理方法。
【請求項３】
請求項１又は２に記載のシリカ含有用水の処理方法において、高分子凝集剤として、ジアリルジメチルアンモニウムクロライドの低分子量ホモポリマーを用いることを特徴とするシリカ含有用水の処理方法。
【請求項４】
請求項３に記載のシリカ含有用水の処理方法において、高分子凝集剤であるジアリルジメチルアンモニウムクロライドの低分子量ホモポリマーの添加量をシリカ含有用水に対して有効成分換算で０．５〜１０．０μｇ／ｋｇの範囲とすることを特徴とするシリカ含有用水の処理方法。
【請求項５】
請求項１乃至４のうちいずれか１項に記載のシリカ含有用水の処理方法において、濾過器として、粒子径１〜５μｍまでの凝集物を捕集できる濾過器を用いることを特徴とするシリカ含有用水の処理方法。
【請求項６】
開放散水型冷却塔と、単数又は複数の冷却用熱交換器と、循環冷却水ポンプと、循環配管と、から構成される開放循環型冷却水システムにおいて、請求項１乃至５のうちいずれか１項に記載のシリカ含有用水の処理方法において得られた処理水を該システムの補給水として用いることを特徴とする開放循環型冷却水システム。
【請求項７】
請求項６の開放循環型冷却水システムにおいて、循環冷却水の電気伝導度を８００μＳ／ｃｍを超えないように循環冷却水をブローして、該処理水を補給・置換することを特徴とする開放循環型冷却水システムである。
【発明の詳細な説明】
【技術分野】
【０００１】
本発明は、地下水等の用水中に含まれる懸濁シリカを除去して工業、商用等に適した水質にする処理方法に関し、また、処理した用水を使用する開放循環型冷却水システムに関するものである。
【背景技術】
【０００２】
従来、工業、商用、飲料、灌漑、消火等に用いられる用水には、河川などの表流水、伏流水、地下水、湖沼水などが用いられている。このうち工業設備および商用設備で用いられる用水は、主として、冷房装置、冷却装置、（ボイラー装置）において多量に冷却水として使用される。用水中には僅かであるがシリカ成分、硬度成分等のスケール生成成分を含むので、これらの装置内にある熱交換器の金属製伝熱面や配管内面等にスケールが付着して伝熱不良となるスケール障害が発生する。特に、開放循環型冷却水系においては、水の蒸発潜熱を利用して冷却水を冷却するが、近年、省資源、省エネルギの観点から蒸発した冷却水量の補給にのみ用水を使用し、冷却水の系外への廃棄（ブロー）量を少なくした高濃縮運転する場合が多く、この場合、用水中に含まれるシリカ成分、硬度成分が濃縮される。このような高濃縮運転では、冷却水系内のシリカ成分、硬度成分が高濃度になり、珪酸カルシウム、珪酸マグネシウム等のスケールが発生し、付着する。
【０００３】
従来、冷却水系の高濃縮運転化に対応できる処方としてホスホン酸類やカルボン酸系低分子量ポリマを用いるのが一般的である。しかし、ホスホン酸類やカルボン酸系ポリマのスケール防止効果は冷却水系で一般的に発生する炭酸カルシウムスケールにはそれなりの効果が認められるが、共存するシリカ濃度が高くなると次第にその効果が低下する欠点がある。更に、シリカとマグネシウムやカルシウムが結合したケイ酸塩スケールには全く効果を果たせないことが多い。したがって、冷却水系を高濃縮運転する場合も水中のシリカ濃度が２００ｐｐｍ程度を超えないように濃縮倍数を設定して管理するのが一般的となっている。
【０００４】
以上のような事情から現在の冷却水系の水処理方法は、冷却水や補給水の水質、冷却水の濃縮倍数などの運転管理状況に応じて適宜薬剤を選定し、しかも、冷却水中のシリカ濃度が２００ｐｐｍ程度を超えないような運転状況を設定して行っているのが実情である。（文献１参照）
【０００５】
また、このスケールの付着を防止するために、各種の薬剤が冷却水系に注入されている。（文献２参照）すなわち、ポリアルキレンポリアミンのアミド化合物とアニオン性基含有ポリマーの第四級アンモニウム塩からなる薬剤を６０〜１００ｐｐｍ、カルシウム塩、マグネシウム塩、シリカを含有する試料水に添加して時間経過後これらのスケール生成成分の濃度に変化がないからスケール化していないとした技術が開示されている。
【０００６】
【特許文献１】特開平７−２５６２６６号公報（〔００１１〜１３〕）
【特許文献２】特開２００５−４６６７９号公報（〔０００５〕、〔００５５〕表２）
【発明の開示】
【発明が解決しようとする課題】
【０００７】
従来、工業設備や商用設備における冷却システムに係わる用水として、主として表流水からなる工業用水が用いられてきたが、近年、工業用水より安価であって、使用場所近くで得られる深井戸等からの地下水を用いることが多くなってきた。これらの地下水は概して表流水よりもシリカ成分や硬度成分を多く含むので、開放循環型冷却水系においてスケール障害が生じ易い。これを防止するには多量の薬剤の使用を要し、また、濃縮係数を大きくすることができないからブロー量を多くする必要があるなど、操業のみならず経済的な問題が生じてきた。
【０００８】
本発明は、かかる問題を解決するために為したものであって、地下水等の用水中に含まれる懸濁シリカ及びイオン状シリカを除去して、工業設備や商用設備における冷却系統に適した水質の用水にする処理方法を提供し、また、得られた処理水を冷却水系の補給水として用いる開放循環型冷却水システムを提供することにある。
【課題を解決するための手段】
【０００９】
前記の目的を達成するために、請求項１の発明は、シリカ含有用水を軟水化処理した後に、強カチオン性の高分子凝集剤を添加して用水中のシリカを凝集させ、該凝集物を濾過器で捕集除去することを特徴とするシリカ含有用水の処理方法である。また、請求項２の発明は、請求項１に記載のシリカ含有用水の処理方法において、軟水化処理として、用水中のカルシウム及びマグネシウムイオンを除去することを特徴とする。
【００１０】
また、請求項３の発明は、請求項１又は２に記載のシリカ含有用水の処理方法において、高分子凝集剤として、ジアリルジメチルアンモニウムクロライドの低分子量ホモポリマーを用いることを特徴とする。また、請求項４の発明は、請求項３に記載のシリカ含有用水の処理方法において、高分子凝集剤であるジアリルジメチルアンモニウムクロライドの低分子量ホモポリマーの添加量をシリカ含有用水に対して有効成分換算で０．５〜１０．０μｇ／ｋｇの範囲とすることを特徴とする。また、請求項５の発明は、請求項１乃至４のうちいずれか１項に記載のシリカ含有用水の処理方法において、濾過器として、粒子径１〜５μｍまでの凝集物を捕集できる濾過器を用いることを特徴とする。
【００１１】
通常、地下水等の用水中には硬度成分であるカルシウムイオン及びマグネシウムイオンを４０〜１２０ｍｇ／ｌ、懸濁シリカ（粒子径０．０１〜０．４５μｍを有する）を２０〜８０ｍｇ／ｌ及びイオン状シリカを１０〜１００ｍｇ／ｌが存在している。本発明の構成を採用するにあたって、懸濁シリカ粒子を荷電中和して凝集化するために強カチオン性の高分子凝集剤を用いるが、該高分子凝集剤を懸濁シリカ粒子に対して効率よく作用させるために、前もってカルシウムイオン及びマグネシウムイオンを軟水化処理によりイオン交換して除去しておくのが、少量の高分子凝集剤の添加量でもって該懸濁シリカ粒子を効果的に１〜５μｍ径の範囲に凝集させることが判った。これらの構成を採用することにより、凝集した１〜５μｍ径のシリカ粒子を後工程の１〜５μｍ粒子を濾過して除去できる濾過器によりシリカ含有量の殆どない濾過水、すなわち処理水を得ることができる。  
【００１２】
また、強カチオン性の高分子凝集剤としてジアリルジメチルアンモニウムクロライドをモノマーとする低分子量のホモポリマー凝集剤を採用することにより、該ホモポリマーが前記懸濁シリカ粒子に対して懸濁粒子の表面電荷を中和して不安定化すると共に凝集化して、濾過器の濾材に捕捉され易くする。すなわち、ホモポリマー分子は反対電荷を有する懸濁シリカ粒子の表面に電荷吸引力により吸着されると共に、濾材表面にも吸着されることになる。また、該ジアリルジメチルアンモニウムクロライドの低分子量ホモポリマー凝集剤の添加量は有効成分換算で０．５〜１０μｇ／ｋｇの範囲で十分懸濁シリカ粒子を凝集化して１〜５μｍ径の範囲の凝集粒子にし、次いで、濾過器の濾材表面で該凝集粒子を吸着して除去することにより、シリカ含有量の無い又は少ない濾過水を得ることができる。なお、ホモポリマーの低分子量とは分子量２００００〜２０００００の範囲のものを云う。
【００１３】
請求項６の発明は、開放散水型冷却塔と、単数又は複数の冷却用熱交換器と、循環冷却水ポンプと、循環配管と、から構成される開放循環型冷却水システムにおいて、請求項１乃至５のうちいずれか１項に記載のシリカ含有用水の処理方法において得られた処理水を該システムの補給水として用いることを特徴とする開放循環型冷却水システムである。また、請求項７の発明は、請求項６の開放循環型冷却水システムにおいて、循環冷却水の電気伝導度が８００μＳ／ｃｍを超えないように循環冷却水をブローして、該処理水を補給・置換することを特徴とする開放循環型冷却水システムである。
【００１４】
請求項１〜５までの本発明方法によれば、用水中のシリカのみならず、硬度成分であるカルシウムイオン及びマグネシウムイオンの含有量がほとんど無いか、又は少量の処理水を得ることができるので、請求項６の構成に基づき、この処理水を開放循環型冷却水システムの冷却水の蒸発損失を補うための補給水として用いることにより、シリカ成分、カルシウムイオン及びマグネシウムイオン成分が冷却水系統に蓄積される程度を少なくしてスケール生成を防止することができる。すなわち、本システムは冷却水の一部を蒸発させて、その蒸発潜熱により冷却水を冷却するシステムであるから、残部の冷却水には水以外の成分が濃縮していくので、例えば、従来のように補給水中にシリカ成分、カルシウムイオン及びマグネシウムイオン成分等のスケール生成成分が存在すると、これが濃縮されてスケールの発生を促進してスケール障害を引き起こすが、本発明方法の処理水はスケール生成成分がほとんど無いので濃縮が少なく、または、濃縮が進みにくくスケール障害が起きにくい。また、スケール生成成分の濃縮を緩和する冷却水の廃棄（ブロー）も従来方式に比し少なくてすむ。また、スケール発生を防止する薬剤の投与を必要としないし、又は必要であっても最小限の量で済む。
【００１５】
また、請求項７の開放循環型冷却水システムによれば、前述のスケール生成成分であるシリカ、カルシウム、マグネシウム含有量を循環冷却水の電気伝導度を測定し、該電気伝導度を８００μＳ／ｃｍ（マイクロジーメンス・ｃｍ−１）を超えないように循環冷却水のブローの量、時期を調節又は制御して、処理水を補給・置換することにより開放循環型冷却水システムにおけるスケール障害の発生を確実に防止することができる。また、補給する処理水の水質を管理する手段に応用することもできる。
【発明の効果】
【００１６】
本発明による請求項１から５までのシリカ含有用水の処理方法によれば、用水中のシリカのみならずカルシウムイオン、マグネシウムイオンの含有量の少ない範囲のところで処理するから、投与する高分子凝集剤の量が少なくても確実にこれらスケール生成成分を除去することができる。特に、前もってカルシウムイオン及びマグネシウムイオンを除去することにより、懸濁シリカ粒子を粒子径１〜５μｍにする凝集化が強カチオン性高分子凝集剤の少量添加でも確実に実行することができ、次の濾過器でもってシリカ凝集粒子を捕捉・除去することによって、シリカ含有用水から懸濁シリカを効率的に除去することができる。
【００１７】
また、請求項６，７の開放循環型冷却水システムによれば、前記処理方法による処理水を該システムの蒸発損失分の補給水として用いるので、循環冷却水中に含まれるスケール生成成分のシリカ、カルシウム、マグネシウムの各含有量を低いレベルに維持しやすく、従来システムのようにスケール生成阻害薬剤を多く投与する必要が無く、また、ブロー量も濃縮係数が上げられることで必然的に少なくできる。また、循環冷却水の電気伝導度の測定値を一定の範囲にするために、ブロー量を制御することにより効果を確実なものにできる。
【００１８】
したがって、従来の工業設備や商用設備の開放循環型冷却水システムにおけるように循環冷却水に薬剤を投与してスケール生成障害を防止するシステムに比べて、薬剤の投与量が少なくても確実にスケール生成障害を防止できるし、また、熱交換器の伝熱効率の低下や配管内面の付着等が防止できるのでランニングコスト及び保守費用の低減が図られろと共に、利便性の良い、安価な地下水の活用ができるなど経済性に優れている。
【発明を実施するための最良の形態】
【００１９】
以下、本発明の最良の実施形態を説明する。本発明の処理方法の対象となる用水は伏流水を含む地下水、表流水、湖沼水等であり、工業設備や商用設備で冷房装置、冷却装置に冷却水として用いられ、一部はボイラ装置にも用いられる。これらの用水には、従来河川などの表流水が工業用水として用いられてきたが、近年では用水の使用場所で、深さ２００〜３００ｍの深井戸から得られる地下水が工業用水及び上水に比し安価であり、かつ、水温も低くて冷却水として適していると評価され、多量の用水を使用する開放循環型冷却水システムに多く利用されてきている。しかし、地下水は地中深く浸透し、かつ、長時間にわたり滞留してきた水であるから、概して、シリカ成分、硬度成分であるカルシウムイオン及びマグネシウムイオンが多く含まれているので、この地下水を開放循環型冷却水システムで使用した場合、冷却の対象である熱交換器の伝熱表面においてシリカ成分や硬度成分から珪酸カルシウムや珪酸マグネシウムなどのスケールが生成して熱効率を低下させ、また、配管内部にスケール障害が発生することから、開放循環型冷却水システムの機能を悪化させるものであった。
【００２０】
本発明の処理方法は、主として地下水を対象としたものであって、シリカ成分として２０〜８０ｍｇ／ｋｇ、カルシウム＋マグネシウム（炭酸カルシウム換算）成分として４０〜１２０ｍｇ／ｋｇを含有する原水（用水）をシリカ成分は０〜２０ｍｇ／ｋｇ、カルシウム＋マグネシウム成分はほぼ０になるように処理するものである。なお、シリカ成分の形態としては、粒子径０．０１〜０．４５μｍの範囲の懸濁状（コロイド状）シリカとイオン状シリカとが存在するが、本発明では懸濁シリカの除去を主たる目的とし、あわせてイオン状シリカも除去する。
【００２１】
本発明の処理方法では、懸濁シリカ粒子に強カチオン性高分子凝集剤を働かせて荷電中和を行い、１〜５μｍ径の範囲の粒子に凝集化するが、該強カチオン性高分子凝集剤を懸濁シリカに効率よく作用させるためには、前もってカルシウムイオン及びマグネシウムイオンを除去する軟水化処理を行うことが必要である。これは定かでないが、強カチオン性高分子凝集剤としてジアリルジメチルアンモニウムクロライドを用いる場合に、該ポリマー分子との反応が早いカルシウムイオン及びマグネシウムイオンを除去しておく方が、該ポリマー分子が有効に懸濁シリカの表面電荷を中和して懸濁状態を不安定化すると共に、懸濁シリカの表面に吸着して凝集化を進め易いと考えられる。
【００２２】
また、ジアリルジメチルアンモニウムクロライドをモノマーとする強カチオン性高分子凝集剤を用いるが、１０％有効成分濃度のホモポリマー溶液にしておくのが、この溶液を希釈して、用水に添加・拡散するにおいて望ましい。該ホモポリマー溶液の商品名としてＦＩＬＴＥＲＲＥＸ５１１０がある。また、懸濁シリカ粒子を荷電中和して粒子径１〜５μｍの凝集粒子にするための軟水化後の原水への添加量は、懸濁粒子の荷電密度により変わるが、有効成分（ジアリルジメチルアンモニウムクロライドのホモポリマー）で換算して軟水化後の原水に対して０．５〜１０μｇ／ｋｇの範囲内である。なお、添加量が８〜１０μｇ／ｋｇの範囲の場合、懸濁シリカ粒子の凝集化に対して添加量が余剰となったとき、次工程の濾過器で団子状になり濾過しにくい問題が生ずる。よって、添加量が０．５〜５μｇ／ｋｇの範囲が望ましい。その他の凝集化条件として、軟水化後の原水のＰＨは６．０〜８．５の範囲、液温１０〜３０℃の範囲が適切である。
【００２３】
また、強カチオン性高分子凝集剤の添加位置は、懸濁シリカ粒子と接触する時間を十分確保することが荷電中和と凝集化を達成するのに重要であり、かつ、懸濁シリカ粒子に吸着したホモポリマーの長い鎖を断ち切らないような状態を維持するのが懸濁シリカ粒子の凝集化のために望ましい。すなわち、添加位置はポンプの下流で、流れが乱流でない場所で添加し、添加後、次の濾過器までを層流状況で０．１〜０．５ｍ／ｓｅｃの流速を２ｓｅｃ以上の時間を確保できる配管の径と長さを決めることが凝集化反応を進める上で重要である。
【００２４】
また、前記粒子径１〜５μｍのシリカ凝集粒子は、粒子径１〜５μｍを濾過できる濾過器、いわゆるミクロフィルタに掛けて濾材により捕捉して除去される。この濾材としては、紙、ポリエステル、ポリプロピレン等を用いると、該シリカ凝集粒子はその粒子表面に吸着した前記ホモポリマー分子の作用により該濾材表面に吸着されやすいので、濾過が確実に行える。また、濾過器は、濾材に捕捉されたシリカ凝集粒子により濾過能力が下がらない構造が、さらに、捕捉されたシリカ凝集粒子を容易に除去できる構造が望ましい。したがって、濾過器内部には複数の濾過ユニットを設け、各濾過ユニットが筒状であって、中心部に多孔の集水筒を有し、その周囲に濾過面積が多く取れるように断面が凸型多角形状（襞状を呈する）で、かつ、筒中心に対して濾過面が斜めの角度を持つ濾材を設けた構造を有するのが良い。濾材面が濾過ユニット中心に対して接線方向に配設されているので、この方向に含シリカ凝集粒子液を導入すると濾過効率を上げることができる。また、捕捉されたシリカ凝集粒子は濾材面から水洗ノズルの水で除去することができる。よって、この場合複数の濾過器を持って、間歇的に一台づつ濾過器の水洗クリーンアップするのがよい。
【００２５】
図１に基いて、本発明の実施の形態である含有シリカ用水の処理方法及びその処理水を用いた開放循環型冷却システムを説明すると、用水処理システム１において、用水（原水）１１は原水受槽２に導入され、ポンプ７にて軟水化処理装置３に送られる。ここでは硬度成分であるカルシウムイオン及びマグネシウムイオンを３０ｍｇ／ｋｇ以下にする除去が行われ、軟水化処理後の原水１２はポンプ８にてミクロフィルタと称される濾過器５に送水されるが、該ポンプ８の後で、強カチオン型高分子凝集剤であるジアリルジメチルアンモニウムクロライドが貯液された凝集剤槽４から凝集剤注入ポンプ９により該強カチオン型高分子凝集剤を原水１２中に添加して、０．０１〜０．５μｍ径の懸濁シリカ粒子を１〜５μｍ径の凝集シリカ粒子に凝集させて拡径した後、１〜５μｍ径の凝集シリカ粒子を含む原水１３を濾過器５に掛ける。濾過器５にて凝集シリカを捕捉除去して、原水１３からシリカ分を除去した処理水１４は処理水槽６にて貯水される。なお、処理水中のカルシウムイオン及びマグネシウムイオンを３０ｍｇ／ｋｇ位にすると、後述の開放循環型冷却水システム２０の配管内に保護膜を生成するので、配管の寿命の点で好ましい。
【００２６】
前記軟水化処理装置３は、その樹脂タンク内にカチオン樹脂（例えば、商品名ＳＳＴ−６０）が濾材として充填されている。原水を該樹脂タンク内に通液することにより、原水内の硬度成分であるカルシウムイオン及びマグネシウムイオンを樹脂イオン（Ｎａイオン）とイオン交換し、陽イオンを樹脂表面に付着させて、陽イオンをほぼ完全に除去できる。なお、樹脂の再生は定法にて塩水（塩分濃度１７ｗｔ％）により行う。
【００２７】
また、前記凝集剤槽４には、強カチオン型高分子凝集剤である商品名ＦＩＬＴＥＲＲＥＸ５１１０（１０％有効成分濃度のジアリルジメチルアンモニウムクロライドのホモポリマー溶液）を５０〜１００倍に希釈したものが貯液される。該凝集剤液を凝集剤注入ポンプ９により軟水化後の原水１２中に有効成分換算で０．５〜３μｇ／ｋｇの範囲内で添加するのがよい。該強カチオン型高分子凝集剤は懸濁シリカ粒子と事実上即時の反応であるが、注入された凝集剤と懸濁シリカ粒子とが完全に反応するために長い接触時間を取ることが望ましい。よって、濾過器５からできるだけ離れた場所で流速０．１〜０．５ｍ／ｓｅｃの直管部に注入するのがよい。また、未反応の凝集剤の量は有効成分換算で０．００１μｇ／ｋｇ以内に抑えないと次工程の濾過作業において泥状ボールによる障害が発生する。また、該凝集剤の特徴である分子及びホモポリマー鎖をせん断力で分断すると該凝集剤の凝集反応効率を低減する原因となるので、せん断力が作用しないように攪拌配管、攪拌翼付貯槽、インペラー付ポンプなどの適用は好ましくない。
【００２８】
また、前記濾過器５は、０．０１〜０．５μｍ径の懸濁シリカ粒子を１〜５μｍ径の凝集シリカ粒子に凝集拡大させて、１〜５μｍ径粒子の濾過ができるマイクロフィルタで捕集して系外に排出する一方、シリカを含有していない濾液を処理水１４として得るために適用される。本発明の最良の実施形態は、０．０１〜０．５μｍ径の懸濁シリカ粒子を３〜４μｍ径の凝集シリカ粒子に凝集拡大させて、１μｍ径粒子の濾過ができる濾過器５を用いるのがシリカ除去として最もよい形態である。濾過器５は、捕捉された凝集シリカ粒子を逆洗して手動又は自動で除去できる構造のものが望ましく、また、凝集シリカの捕集時間の経過と共に濾過流量が連続して低下しないものがよい。例えば、ＨＡＲＭＳＣＯ社（米国）の商品名ＨＵＲＲＩＣＡＮＥ濾過器で紙製濾材のものがよい。これは濾過面積が大きい一体構造の筒状の濾過ユニットが複数設けられたもので、各濾過ユニットには接線方向に折り曲げられた襞が流体回転方向（濾過器に対して流体を接線方向に導入する）に向かうように傾いており、流体の力が加わると襞がはためいて粒子を均一に分散させるので、粒子分離効率が高く、濾材寿命が長くなる特徴を有する。
【００２９】
開放循環型冷却水システム２０は、冷却塔ファン２１ａを有する開放散水型冷却塔２１と、冷房装置又は冷却装置内の熱交換器２３と、循環冷却水２５を該冷却塔２１や熱交換器２３に送水する循環ポンプ２２と、それらの配管とから構成される。また、冷却塔２１の貯水部には電気伝導度計２６が備えられ、この測定値を所定範囲内に維持するために手動又は自動で該循環冷却水２５をブローするブロー弁２４が設けられる。また、蒸発及びブローした循環冷却水２５の量を補うために処理水１４を冷却塔２１に補給する補給調整弁１０が設けられる。
【００３０】
前記循環冷却水２５のスケール生成成分（シリカ、カルシウムイオン、マグネシウムイオン等）の量をスケール生成が防止できる限界内に調整するために、電気伝導度計２６を用いて循環冷却水２５を測定し、その測定値が８００μＳ／ｃｍ（マイクロジーメンス・ｃｍ−１）以上にならないようにブロー量を調整・制御することがよい。すなわち、循環冷却水２５の一部がブロー弁２４を開けて所定量ブローされると共に、その分処理水１４を補給水として補給調整弁１０を開にして補うものである。このシステムによりスケール生成成分が非常に少ない処理水１４を開放循環型冷却水システム２０に用いてスケール障害を発生することなく、また、薬剤注入を無くす、または極端に減少することが可能となる。また、この場合、濃縮係数（≒（蒸発損失量＋ブロー量）÷ブロー量）は、６〜１０の範囲にすることができるのでブロー量の節減が可能で、ひいては処理水１４もその量だけ減少できる。
【実施例】
【００３１】
深井戸から汲み上げた原水に対して本発明方法を適用してシリカ含有用水からのシリカ成分の除去を確認した。懸濁シリカ２７ｍｇ／ｋｇ、イオン状シリカ１５．３ｍｇ／ｋｇを含有するシリカ含有用水をカルシウムイオン及びマグネシウムイオン（以下、硬度成分と称す）を除去する軟水化処理を行い、その後強カチオン型高分子凝集剤である商品名ＦＩＬＴＥＲＲＥＸ５１１０（１０％有効成分濃度のジアリルジメチルアンモニウムクロライドのホモポリマー溶液）を１００倍に希釈したものを凝集剤として有効成分換算で０．５〜３．０μｇ／ｋｇの範囲で段階的に添加し、凝集後ろ紙（孔径１μｍ）で凝集シリカを除去する処理を行い、処理水のシリカ残分を求めた。シリカの分析は、ＪＩＳＫ０１０１  ４４．１２に則って行い、全シリカ量、イオン状シリカ量を求め、それらから懸濁シリカ量を算出した。実施例の結果を表１（軟水化処理後の硬度成分を３０ｍｇ／ｋｇに調整した）及び表２（軟水化処理後の硬度成分を１ｍｇ／ｋｇに調整した）に示す。
【００３２】
【表１】
2006192424.tif 000003
【００３３】
【表２】
2006192424.tif 000004
【００３４】
表１、表２の結果から、懸濁シリカ２７ｍｇ／ｋｇ、イオン状シリカ１５．３ｍｇ／ｋｇを含有するシリカ含有用水を処理して、懸濁シリカ３．１〜１０．９ｍｇ／ｋｇ及びイオン状シリカ２．５〜１１．２ｍｇ／ｋｇの処理水が得られ、懸濁シリカ除去率８９〜６０％、イオン状シリカ除去率８４〜２７％が得られた。本発明方法によると、懸濁シリカのみならず、イオン状シリカも除去できることが分かった。
【産業上の利用可能性】
【００３５】
工業及び商業施設を問わず、住宅設備に於いても、冷房又は冷凍設備の熱交換器や機械設備の潤滑油又は冷却システムの熱交換器に対する冷却水システム又は用水処理システムについて広く利用できる。
【図面の簡単な説明】
【００３６】
【図１】本発明の最良の実施形態である用水中の懸濁シリカの除去方法及びその処理水を用いた開放循環型冷却法の説明図であって、模式的フロー図である。
【符号の説明】
【００３７】
１：用水処理システム    ２：原水受槽    ３：軟水化処理装置    ４：凝集剤槽      ５；濾過器              ６：処理水槽      ７：ポンプ          ８：原水ポンプ  
９：凝集剤注入ポンプ    １０：補給調整弁    １１：用水（原水）
１２：軟水化後の原水  １３：原水        １４：処理水
２０：開放循環型冷却システム    ２１：冷却塔      ２１ａ：冷却塔ファン
２２：循環ポンプ      ２３：熱交換器      ２４：ブロー弁  ２５：循環冷却水
２６：電気伝導度計
【図１】
2006192424.tif 000005